(57)【要約】【課題】ＯＦＤＭ方式を用いて無線により通信するデジタル無線通信システムにおいて、マルチパス伝搬環境下での受信特性を向上させる。【解決手段】ＯＦＤＭ方式を用いて無線により通信するデジタル無線通信システムにおいて、例えばＯＦＤＭ無線機１では、信号処理手段２３、３１がＦＦＴサイズを用いて通信信号をＩＦＦＴ又はＦＦＴで処理し、伝搬環境情報検出手段３４がマルチパス伝搬環境に関する情報を検出し、ＦＦＴサイズ制御手段１１が伝搬環境情報検出手段３４により検出された情報に基づいて信号処理手段２３、３１により用いられるＦＦＴサイズを制御する。【選択図】  図１
2011217210.tif 000002
【特許請求の範囲】
【請求項１】
ＯＦＤＭ方式を用いて無線により通信するデジタル無線通信システムにおいて、
ＦＦＴサイズを用いて通信信号をＩＦＦＴ又はＦＦＴで処理する信号処理手段と、
マルチパス伝搬環境に関する情報を検出する伝搬環境情報検出手段と、
前記伝搬環境情報検出手段により検出された情報に基づいて、前記信号処理手段により用いられるＦＦＴサイズを制御するＦＦＴサイズ制御手段と、
を備えたことを特徴とするデジタル無線通信システム。
【発明の詳細な説明】
【技術分野】
【０００１】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いて無線により通信するデジタル無線通信システムに関し、特に、マルチパス伝搬環境下での受信特性を向上させたデジタル無線通信システムに関する。
【背景技術】
【０００２】
ＯＦＤＭ方式を用いたデジタル無線通信システムでは、ＯＦＤＭ変復調にＩＦＦＴ（Ｉｎｖｅｒｓｅ  Ｆａｓｔ  Ｆｏｕｒｉｅｒ  Ｔｒａｎｓｆｏｒｍ）及びＦＦＴ（Ｆａｓｔ  Ｆｏｕｒｉｅｒ  Ｔｒａｎｓｆｏｒｍ）が用いられ、ＦＦＴサイズは各システム仕様で決まっている。
例えば、ＷｉＭＡＸシステム仕様においては、帯域幅１．２５ＭＨｚのシステムではＦＦＴサイズは１２８となっており、帯域幅５ＭＨｚのシステムではＦＦＴサイズは５１２となっており、帯域幅１０ＭＨｚのシステムではＦＦＴサイズは１０２４となっており、帯域幅２０ＭＨｚのシステムではＦＦＴサイズは２０４８となっている。
【０００３】
また、マルチパス伝搬環境下では、遅延波成分の影響により、時間軸方向ではシンボル間干渉の歪みが生じ、周波数軸方向では伝送路特性の歪みが生じる。これに対し、シンボル長を長くするとシンボル間干渉を低減させることができ、また、パイロットサブキャリアの周波数間隔を短くすると伝送路特性の推定精度を向上させることができる。
【０００４】
図５には、従来のＯＦＤＭ無線機１０１の構成例を示してある。
本例のＯＦＤＭ無線機１０１は、制御部１１１と、ＯＦＤＭ変調器１１２と、ＯＦＤＭ復調器１１３を備えている。
また、ＯＦＤＭ変調器１１２には、１次変調部１２１、パイロットサブキャリア挿入部１２２、ＩＦＦＴ部１２３を備えている。
また、ＯＦＤＭ復調器１１３には、ＦＦＴ部１３１、伝送路特性推定部１３２、検波部１３３を備えている。
【０００５】
本例のＯＦＤＭ無線機１０１において行われる動作（通信動作）の例を示す。
本例では、本例のＯＦＤＭ無線機１０１が同様な他のＯＦＤＭ無線機との間で無線により通信する場合（つまり、ＯＦＤＭ無線機同士で無線通信する場合）を説明する。
【０００６】
まず、送信動作を説明する。
制御部１１１で生成された送信ビットデータをＯＦＤＭ変調器１１２でＯＦＤＭ変調する。
ここで、ＯＦＤＭ変調器１１２では、次のような動作が行われる。
１次変調部１２１は、制御部１１１からの入力について、各サブキャリア周波数に割り当てる送信ビットデータを１次変調してデータサブキャリアにマッピングし、その結果をパイロットサブキャリア挿入部１２２へ送る。１次変調の方式としては、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）等が用いられる。
【０００７】
パイロットサブキャリア挿入部１２２は、１次変調部１２１からの入力について、データサブキャリア系列にパイロットサブキャリアを挿入して、ＩＦＦＴ部１２３へ送る。
ＩＦＦＴ部１２３は、パイロットサブキャリア挿入部１２２からの入力について、制御部１１１から通知されるＦＦＴサイズで周波数表現のサブキャリア系列を逆フーリエ変換することで時間軸上の信号列へ変換し、その結果を送信する。ＩＦＦＴ部１２３からの出力信号は、例えば、アンテナ（図示せず）により無線で送信される。
【０００８】
次に、受信動作を説明する。
例えば、アンテナ（図示せず）により無線で受信されたＯＦＤＭ変調信号がＯＦＤＭ復調器１１３のＦＦＴ部１３１に入力される。
ＦＦＴ部１３１は、制御部１１１から通知されるＦＦＴサイズで入力信号（受信信号）をフーリエ変換することで、時間軸方向の信号を周波数軸方向のサブキャリア信号（サブキャリア系列）へ変換し、その結果を伝搬路特性推定部１３２へ送る。
【０００９】
伝送路特性推定部１３２は、ＦＦＴ部１３１から受け取ったサブキャリア信号からパイロットサブキャリア（パイロットキャリア）を抜き出し、パイロットサブキャリア間を補間することで伝送路特性推定値として取得する。また、伝送路特性推定部１３２は、ＦＦＴ部１３１からの入力について、サブキャリア信号（データサブキャリア信号）から伝送路特性推定値を除算することで伝送路歪みを低減し、その結果を検波部１３３へ送る。
検波部１３３は、１次変調方式に応じた検波を行い、これにより得られたデータ系列（ビットデータ系列）を制御部１１１へ送る。
【先行技術文献】
【特許文献】
【００１０】
【特許文献１】特開２００９−１９４７８５号公報
【発明の概要】
【発明が解決しようとする課題】
【００１１】
しかしながら、従来のＯＦＤＭ無線機やデジタル無線通信システムでは、マルチパス伝搬環境下での受信特性の劣化を低減することに関して、更なる開発が要求されていた。
本発明は、このような従来の事情に鑑み為されたもので、マルチパス伝搬環境下での受信特性を向上させることができるデジタル無線通信システムを提供することを目的とする。
【課題を解決するための手段】
【００１２】
上記目的を達成するため、本発明では、ＯＦＤＭ方式を用いて無線により通信するデジタル無線通信システムにおいて、次のような構成とした。
すなわち、信号処理手段が、ＦＦＴサイズを用いて、通信信号をＩＦＦＴ又はＦＦＴで処理する。伝搬環境情報検出手段が、マルチパス伝搬環境に関する情報を検出する。ＦＦＴサイズ制御手段が、前記伝搬環境情報検出手段により検出された情報に基づいて、前記信号処理手段により用いられるＦＦＴサイズを制御する。
【００１３】
従って、例えば、マルチパス伝搬環境に関する情報に基づいて、所定の条件と比べて伝搬環境が悪いと判定された場合には、ＦＦＴサイズを増やす制御を行うことで、周波数軸方向のサブキャリア間隔を密にして、パイロットサブキャリア周波数間隔を短くし、シンボル長を長くすることにより、マルチパスによる伝搬路歪みを低減することができる。また、これとは逆に、所定の条件と比べて伝搬環境が良いと判定された場合には、ＦＦＴサイズを減らす制御を行う、ことも可能である。
このように、マルチパス伝搬環境下での受信特性を向上させることができる。
【００１４】
ここで、信号処理手段としては、例えば、ＩＦＦＴの処理を行うＩＦＦＴ手段が用いられてもよく、或いは、ＦＦＴの処理を行うＦＦＴ手段が用いられてもよく、或いは、これらの両方が用いられてもよい。また、ＩＦＦＴ手段とＦＦＴ手段の両方が用いられる場合には、これらがまとめて制御されてもよく、或いは、それぞれ独立に制御されてもよい。
また、マルチパス伝搬環境に関する情報としては、種々な情報が用いられてもよい。
また、マルチパス伝搬環境に関する情報に基づいてＦＦＴサイズを制御する態様としては、種々な態様が用いられてもよく、このような態様は例えば予めシステム（例えば、ＯＦＤＭ無線機）に設定される。
【００１５】
また、２つのＯＦＤＭ無線機が無線通信する場合に、一方のＯＦＤＭ無線機に備えられたＦＦＴサイズ制御手段は、例えば、自機（当該一方のＯＦＤＭ無線機）に備えられた信号処理手段で用いられるＦＦＴサイズを制御してもよく、或いは、通信相手（他方のＯＦＤＭ無線機）に備えられた信号処理手段で用いられるＦＦＴサイズを制御してもよく、或いは、これらの両方を行ってもよい。通常、互いに通信する一方のＯＦＤＭ無線機の送信処理部のＦＦＴサイズと他方のＯＦＤＭ無線機の受信処理部のＦＦＴサイズは一致させられる。
【００１６】
以下で、ＯＦＤＭ無線機の構成例を示す。
（ＯＦＤＭ無線機の構成例１）
ＯＦＤＭ方式を用いて無線により通信するＯＦＤＭ無線機において、
ＦＦＴサイズを用いて送信対象となる信号を処理するＩＦＦＴ手段（信号処理手段の一例）と、
ＦＦＴサイズを用いて通信相手からの受信信号を処理するＦＦＴ手段（信号処理手段の一例）と、
前記ＦＦＴ手段により得られたＦＦＴ結果に基づいて、周波数軸方向のパイロットサブキャリアの変動状況に関する情報を検出する変動状況検出手段（伝搬環境情報検出手段の一例）と、
前記変動状況検出手段により検出された情報に基づいて、前記ＩＦＦＴ手段により用いられるＦＦＴサイズと前記ＦＦＴ手段により用いられるＦＦＴサイズの一方又は両方を制御するＦＦＴサイズ制御手段と、
を備えたことを特徴とするＯＦＤＭ無線機。
【００１７】
従って、周波数軸方向のパイロットサブキャリアの変動状況に関する情報に基づいて、ＩＦＦＴ手段により用いられるＦＦＴサイズやＦＦＴ手段により用いられるＦＦＴサイズを制御することにより、マルチパス伝搬環境下での受信特性を向上させることができる。
ここで、周波数軸方向のパイロットサブキャリアの変動状況に関する情報としては、種々な情報が用いられてもよい。
また、周波数軸方向のパイロットサブキャリアの変動状況に関する情報に基づいてＦＦＴサイズを制御する態様としては、種々な態様が用いられてもよく、このような態様は例えば予めＯＦＤＭ無線機に設定される。
【００１８】
（ＯＦＤＭ無線機の構成例２）
前記ＦＦＴサイズ制御手段は、前記通信相手においても自機と同一のＦＦＴサイズが用いられるようにするためのＦＦＴサイズ制御情報を前記通信相手へ送信する。
従って、２つのＯＦＤＭ無線機が通信している場合に、それぞれで用いられるＦＦＴサイズを同一にすることができる。具体例として、互いに通信する一方のＯＦＤＭ無線機の送信処理部のＦＦＴサイズと他方のＯＦＤＭ無線機の受信処理部のＦＦＴサイズを同一にすることや、当該一方のＯＦＤＭ無線機の受信処理部のＦＦＴサイズと当該他方のＯＦＤＭ無線機の送信処理部のＦＦＴサイズを同一にすることや、これら全ての処理部（送信処理部及び受信処理部）のＦＦＴサイズを同一にすることができる。
ここで、ＦＦＴサイズ制御情報としては、種々な情報が用いられてもよい。
【００１９】
（ＯＦＤＭ無線機の構成例３）
前記ＦＦＴサイズ制御手段は、前記通信相手から受信されたＦＦＴサイズ制御情報に基づいて、前記ＩＦＦＴ手段により用いられるＦＦＴサイズと前記ＦＦＴ手段により用いられるＦＦＴサイズの一方又は両方を制御する。
従って、通信相手から通知された情報（ＦＦＴサイズ制御情報）に基づいて、自機の信号処理手段で用いられるＦＦＴサイズを制御することができる。
【００２０】
（ＯＦＤＭ無線機の構成例４）
前記変動状況検出手段は、周波数軸方向のパイロットサブキャリアの変動状況に関する情報として、周波数軸方向で隣り合うパイロットサブキャリアのレベルの変動値又はそれに基づく値を検出する。
前記ＦＦＴサイズ制御手段は、前記変動状況検出手段により検出された値又はそれに基づく値と所定の閾値との大小関係に基づいて、ＦＦＴサイズを決定する。
【００２１】
従って、例えば、周波数軸方向で隣り合うパイロットサブキャリアのレベルの変動値（又は、それに基づく値）が大きい場合にはＦＦＴサイズを増やすことや、周波数軸方向で隣り合うパイロットサブキャリアのレベルの変動値（又は、それに基づく値）が小さい場合にはＦＦＴサイズを減らすこと、ができる。
ここで、ある値（変動値等）に基づく値としては、例えば、所定の期間（時間）における平均値などのように、所定の演算を施した値を用いることができる。
【発明の効果】
【００２２】
以上説明したように、本発明によると、マルチパス伝搬環境下での受信特性を向上させることができる。
【図面の簡単な説明】
【００２３】
【図１】本発明の一実施例に係るＯＦＤＭ無線機の構成例を示す図である。
【図２】周波数軸方向の伝送路特性の一例を示す図である。
【図３】ＦＦＴサイズ＝Ｎであるときにおける伝送路特性推定値の一例を示す図である。
【図４】ＦＦＴサイズ＝２Ｎであるときにおける伝送路特性推定値の一例を示す図である。
【図５】従来のＯＦＤＭ無線機の構成例を示す図である。
【発明を実施するための形態】
【００２４】
本発明に係る実施例を図面を参照して説明する。
図１には、本発明の一実施例に係るＯＦＤＭ無線機１の構成例を示してある。
本例のＯＦＤＭ無線機１は、制御部１１と、ＯＦＤＭ変調器１２と、ＯＦＤＭ復調器１３を備えている。
また、ＯＦＤＭ変調器１２には、１次変調部２１、パイロットサブキャリア挿入部２２、ＩＦＦＴ部２３を備えている。
また、ＯＦＤＭ復調器１３には、ＦＦＴ部３１、伝送路特性推定部３２、検波部３３、周波数軸方向のパイロットサブキャリア変動値（周波数軸方向のフェージング変動値）の算出部３４を備えている。
【００２５】
本例のＯＦＤＭ無線機１において行われる動作（通信動作）の例を示す。
本例では、本例のＯＦＤＭ無線機１が同様な他のＯＦＤＭ無線機との間で無線により通信する場合（つまり、ＯＦＤＭ無線機同士で無線通信する場合）を説明する。
【００２６】
まず、送信動作を説明する。
制御部１１で生成された送信ビットデータをＯＦＤＭ変調器１２でＯＦＤＭ変調する。
ここで、ＯＦＤＭ変調器１２では、次のような動作が行われる。
１次変調部２１は、制御部１１からの入力について、各サブキャリア周波数に割り当てる送信ビットデータを１次変調してデータサブキャリアにマッピングし、その結果をパイロットサブキャリア挿入部２２へ送る。１次変調の方式としては、ＢＰＳＫ、ＱＰＳＫ、１６ＱＡＭ等が用いられる。
【００２７】
パイロットサブキャリア挿入部２２は、１次変調部２１からの入力について、データサブキャリア系列にパイロットサブキャリアを挿入して、ＩＦＦＴ部２３へ送る。
ＩＦＦＴ部２３は、パイロットサブキャリア挿入部２２からの入力について、制御部１１から通知されるＦＦＴサイズで周波数表現のサブキャリア系列を逆フーリエ変換することで時間軸上の信号列へ変換し、その結果を送信する。ＩＦＦＴ部２３からの出力信号は、例えば、アンテナ（図示せず）により無線で送信される。
【００２８】
次に、受信動作を説明する。
例えば、アンテナ（図示せず）により無線で受信されたＯＦＤＭ変調信号がＯＦＤＭ復調器１３のＦＦＴ部３１に入力される。
ＦＦＴ部３１は、制御部１１から通知されるＦＦＴサイズで入力信号（受信信号）をフーリエ変換することで、時間軸方向の信号を周波数軸方向のサブキャリア信号（サブキャリア系列）へ変換し、その結果を伝搬路特性推定部３２及び周波数軸方向のパイロットサブキャリア変動値の算出部（変動値算出部）３４へ送る。
【００２９】
伝送路特性推定部３２は、ＦＦＴ部３１から受け取ったサブキャリア信号からパイロットサブキャリア（パイロットキャリア）を抜き出し、パイロットサブキャリア間を補間することで伝送路特性推定値として取得する。また、伝送路特性推定部３２は、ＦＦＴ部３１からの入力について、サブキャリア信号（データサブキャリア信号）から伝送路特性推定値を除算することで伝送路歪みを低減し、その結果を検波部３３へ送る。
検波部３３は、１次変調方式に応じた検波を行い、これにより得られたデータ系列（ビットデータ系列）を制御部１１へ送る。
【００３０】
変動値算出部３４は、ＦＦＴ部３１から受け取ったサブキャリア信号からパイロットサブキャリアを抜き出し、その変動状況を検出して制御部１１へ通知する。
ここで、図２〜図４を参照して、変動値算出部３４により行われる処理について説明する。
【００３１】
図２には、周波数軸方向の伝送路特性の一例を示してある。横軸は周波数を示しており、縦軸は受信信号のレベル（本例では、電圧）を示している。そして、周波数軸方向伝送路特性５１を示してある。
図３には、ＦＦＴサイズが自然数であるＮである（ＦＦＴサイズ＝Ｎである）ときにおける伝送路特性推定値の一例を示してある。横軸は周波数を示しており、縦軸は受信信号のレベル（本例では、電圧）を示している。そして、周波数軸方向伝送路特性５１、ＦＦＴサイズ＝Ｎのときにおけるパイロットサブキャリア６１（図３では、１つにのみ符号を付してあり他は符号を省略している）、ＦＦＴサイズ＝Ｎのときにおける伝送路特性推定値６２を示してある。
【００３２】
図４には、ＦＦＴサイズが２Ｎである（ＦＦＴサイズ＝２Ｎである）ときにおける伝送路特性推定値の一例を示してある。横軸は周波数を示しており、縦軸は受信信号のレベル（本例では、電圧）を示している。そして、周波数軸方向伝送路特性５１、ＦＦＴサイズ＝２Ｎのときにおけるパイロットサブキャリア７１（図４では、１つにのみ符号を付してあり他は符号を省略している）、ＦＦＴサイズ＝２Ｎのときにおける伝送路特性推定値７２を示してある。
【００３３】
図２に示されるような周波数軸方向の伝送路特性５１であるとき、ＦＦＴサイズをＮとしたときのパイロットサブキャリア系列は、図３に示されるように、隣り合うパイロットサブキャリアの変動（本例では、電圧レベルの変動）が激しくなり、正確に伝送路特性が推定されていない可能性が高い。なお、実際にパイロットサブキャリア６１を線形補間すると、伝送路特性推定値６２の線のようになり、実際の伝送路特性５１とは差異が大きい。
【００３４】
そして、本例では、変動値算出部３４は、このような隣り合ったパイロットサブキャリアの変動値（パイロットサブキャリアの変動状況に関する情報の一例）を検出して制御部１１へ通知する。
制御部１１は、変動値算出部３４から受け取った変動値について例えば一定時間平均化する等の処理を行い、その値が所定の閾値を超えた場合には、例えば次のフレームからＦＦＴサイズを２Ｎへ変更するという情報（ＦＦＴサイズ変更情報）を送信データに乗せて送信し、通信相手となる無線機（本例では、ＯＦＤＭ無線機１と同様な構成の無線機）へ通知する。なお、前記した所定の閾値としては、任意に設定されてもよく、例えば、最適な閾値が予めシミュレーションなどによって算出される。
【００３５】
また、制御部１１は、変更後のＦＦＴサイズ（ここでは、２Ｎ）をＩＦＦＴ部１２３及びＦＦＴ部１３１へ通知する。
通信相手の無線機では、本例のＯＦＤＭ無線機１からの受信データからＦＦＴサイズ変更情報を抽出し、この情報に基づいて、制御部がＦＦＴサイズパラメータを２ＮとしてＩＦＦＴ部及びＦＦＴ部へ通知することで、以降、ＦＦＴサイズを２Ｎとして通信を行う。
【００３６】
このように、ＦＦＴサイズをＮから２Ｎへ変更すると、図４に示されるように、パイロットサブキャリア７１の間隔が半分になり、隣り合うパイロットサブキャリア７１の変動が小さくなる。なお、実際にパイロットサブキャリア７１を線形補間すると、伝送路特性推定値７２の線のようになり、実際の伝送路特性５１に近い値が得られ、伝送路特性推定精度が向上していることがわかる。
【００３７】
以上のように、本例では、ＯＦＤＭを用いたデジタル無線通信システムの無線機において、マルチパス伝搬環境下であるときに、ＦＦＴサイズを増やすことで、周波数軸方向のサブキャリア間隔を密にして、パイロットサブキャリア周波数間隔を短くし、シンボル長を長くすることを行い、これにより、マルチパスによる伝搬路歪みを低滅する。
また、本例では、このような無線機において、最適なＦＦＴサイズを算出して、通信相手となる無線機に伝えることで、例えば次フレームからＦＦＴサイズを変更して通信を行う。
【００３８】
このように、本例では、ＯＦＤＭを用いたデジタル無線通信システムの無線機において、ＦＦＴサイズが可変であり、パイロットサブキャリアの変動値に基づいて、マルチパス伝搬環境に適したＦＦＴサイズを選択することで、シンボル間干渉の低減や周波数軸方向の伝送路推定精度の向上を実現することができる。例えば、遅延波による影響が強いマルチパスフェージング下における受信特性を向上させることができ、また、ＩＦＦＴ部及びＦＦＴ部へのＦＦＴサイズのパラメータ選択等で対応することができるため、小規模なソフトウエア変更で実現することが可能である。
【００３９】
ここで、本例では、受信信号における隣り合ったパイロットサブキャリアの変動値の平均値などの値（パイロットサブキャリアの変動状況の一例）が所定の閾値を超えた場合（「所定の閾値以上となった場合」が用いられてもよい）に、ＦＦＴサイズをＮから２Ｎへ変更する場合を示したが、ＦＦＴサイズの変更前の値や変更後の値としては、それぞれ、特に限定はなく、必ずしも２倍（Ｎから２Ｎ）でなくてもよく、種々な値が用いられてもよい。また、本例では、ＦＦＴサイズを増やす方向で変更する場合を示したが、例えば、受信信号における隣り合ったパイロットサブキャリアの変動値の平均値などの値（パイロットサブキャリアの変動状況の一例）が所定の閾値未満となった場合（「所定の閾値以下となった場合」が用いられてもよい）に、ＦＦＴサイズを減らす方向で変更することが行われてもよい。また、他の種々な態様で、受信信号におけるパイロットサブキャリアの変動状況に基づいてＦＦＴサイズの値が制御（変更など）されてもよい。
【００４０】
また、本例では、ＦＦＴサイズを変更するタイミングとして、（変更が決定されたときから見て）次のフレームのタイミングを用いたが、他のタイミングが用いられてもよい。
また、本例では、一方の無線機（ＩＦＦＴ部）から他方の無線機（ＦＦＴ部）への通信で使用されるＦＦＴサイズと、前記他方の無線機（ＩＦＦＴ部）から前記一方の無線機（ＦＦＴ部）への通信で使用されるＦＦＴサイズとを同一としたが、これらが異なる場合があるような態様が用いられてもよい。
【００４１】
また、本例のＯＦＤＭ無線機は、種々なシステムの無線機に適用されてもよく、例えば、基地局装置（或いは、親機、地上デジタル放送の放送局など）に設けられたＯＦＤＭ無線機と、移動局装置（或いは、子機、地上デジタル放送の受像機など）又は中継局装置に設けられたＯＦＤＭ無線機との間で無線通信するような無線機に適用することが可能である。
【００４２】
なお、本例のＯＦＤＭ無線機１では、ＩＦＦＴ部２３の機能によりＩＦＦＴ手段（信号処理手段の一例）が構成されており、ＦＦＴ部３１の機能によりＦＦＴ手段（信号処理手段の一例）が構成されており、周波数軸方向のパイロットサブキャリア変動値の算出部３４の機能により変動状況検出手段（伝搬環境情報検出手段の一例）が構成されており、制御部１１の機能によりＦＦＴサイズ制御手段が構成されている。
【００４３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４４】
１、１０１・・無線機（ＯＦＤＭ無線機）、  １１、１１１・・制御部、  １２、１１２・・ＯＦＤＭ変調器、  １３、１１３・・ＯＦＤＭ復調器、  ２１、１２１・・１次変調部、  ２２、１２２・・パイロットサブキャリア挿入部、  ２３、１２３・・ＩＦＦＴ部、  ３１、１３１・・ＦＦＴ部、  ３２、１３２・・伝送路特性推定部、  ３３、１３３・・検波部、  ３４・・周波数軸方向のパイロットサブキャリア変動値の算出部（変動値算出部）、
５１・・周波数軸方向伝送路特性、  ６１・・パイロットサブキャリア（ＦＦＴサイズ＝Ｎ）、  ６２・・伝送路特性推定値（ＦＦＴサイズ＝Ｎ）、  ７１・・パイロットサブキャリア（ＦＦＴサイズ＝２Ｎ）、  ７２・・伝送路特性推定値（ＦＦＴサイズ＝２Ｎ）、
【図１】
2011217210.tif 000003
【図２】
2011217210.tif 000004
【図３】
2011217210.tif 000005
【図４】
2011217210.tif 000006
【図５】
2011217210.tif 000007